(57)【要約】【課題】通路側への突出位置が異なる遊技機を、遊技島に設置する場合に、夫々の遊技機に合わせて、遊技者の座る位置を容易に変更し得る遊技機用椅子および固定台を提案する。【解決手段】シート体に配設された可動部材３２に対して前後方向に摺動可能に連結された連結部材３１に、支柱３の上端部が嵌入される前後二個の嵌入孔３７ａ，３７ｂを備え、対向する遊技機に応じて嵌入孔３７ａ．３７ｂを選択して該支柱３の上端部を嵌入させるようにしたから、通路側への突出位置の異なる遊技機を遊技島に設置する場合に、遊技機に応じて前記嵌入孔３７ａ，３７ｂを選択することによって、各遊技機の突出位置との間に十分な隙間を生ずるようにシート体を配置できる。また、固定台が二個の連結突部を備えた構成としたから、いずれかの連結突部に支柱を連結させることで、遊技機用椅子の配設位置を容易に変更できる。【選択図】図８
2017221649.tif 000002
【特許請求の範囲】
【請求項１】
遊技島に設置される複数の遊技機と夫々対向させて配設されるものであって、
遊技者が着座する着座部と該着座部の後端から起立する背もたれ部とを備えたシート体と、
該着座部の底面に、取付手段を介して脱着可能に取り付けられる支柱と、
遊技場の床面に配設され、該支柱の下端部が固定される固定台と
を備えてなる遊技機用椅子において、
取付手段は、
前記支柱の上端部に係合され、前記着座部の底面に配設された可動部材が前後方向に摺動可能に連結される連結部材と、
該可動部材を介して、前記シート体を該連結部材に対して前方に付勢する付勢手段と、
前記連結部材の下面に、前後方向に所定間隔をおいて開口形成され、前記支柱の上端部が嵌入される二個の嵌入孔と、
各嵌入孔を下方に臨むように前記連結部材に夫々配設され、前記支柱の上端部に設けられた係合部と係脱可能に係合される被係止部と
を備えたものであることを特徴とする遊技機用椅子。
【請求項２】
遊技島に設置される遊技機が、スロットマシンまたはパチンコ機であり、
取付手段は、連結部材に設けられた後側の嵌入孔が、パチンコ機と対向させた場合に支柱の上端部を嵌入させるパチンコ機用の嵌入孔である一方、前側の嵌入孔が、スロットマシンと対向させた場合に該支柱の上端部を嵌入させるスロットマシン用の嵌入孔であることを特徴とする請求項１に記載の遊技機用椅子。
【請求項３】
取付手段は、
可動部材を、前側の待機位置と後側の引下位置との間で、連結部材に対して摺動可能に設けられてなり、
該連結部材の後側の嵌入孔が、該可動部材を前記引下位置とした状態で、着座部の前後方向中心位置よりも後方に位置するように設けられていることを特徴とする請求項２に記載の遊技機用椅子。
【請求項４】
遊技者が着座するシート体と該シート体を支持する支柱とを備えてなる椅子主体を、遊技島に設けられた遊技機に対向させて、遊技場の床面に固定させる遊技機用椅子の固定台において、
遊技場の床面に固定される台ベースと、
該台ベース上に、前記遊技島の長手方向と略直交する前後方向または当該前後方向に対して所定角度で傾斜する斜め方向に所定間隔をおいて夫々突成され、前記支柱の下端部が係脱可能に連結される二個の連結突部と
を備えたものであることを特徴とする遊技機用椅子の固定台。
【請求項５】
台ベース上であって且つ前側の連結突部の後方に設けられた取付位置に、所定の装着手段を介して着脱可能に取り付けられた連結取付体を備え、
前側の連結突部が、前記台ベースに立設されると共に、後側の連結突部が、前記連結取付体に立設されていることを特徴とする請求項４に記載の遊技機用椅子の固定台。
【請求項６】
台ベースに設けられた前後二箇所の取付位置に、所定の装着手段を介して着脱可能に夫々取り付けられた二個の連結取付体を備え、
前側の連結突部が、前側の取付位置に取り付けられた連結取付体に立設されると共に、後側の連結突部が、後側の取付位置に取り付けられた連結取付体に立設されていることを特徴とする請求項４に記載の遊技機用椅子の固定台。
【請求項７】
遊技島に設けられる遊技機が、パチンコ機又はスロットマシンであり、
椅子主体をパチンコ機と対向させる場合には、前側の連結突部に、支柱の下端部を連結させる一方、椅子主体をスロットマシンと対向させる場合には、後側の連結突部に、該支柱の下端部を連結させるものであることを特徴とする請求項４乃至請求項６のいずれか１項に記載の遊技機用椅子の固定台。
【請求項８】
請求項４乃至請求項７のいずれか１項に記載の遊技機用椅子の固定台と、
遊技者が着座するシート体と該シート体を支持する支柱とを備え、該支柱の下端部が、前記固定台に設けられた二個の連結突部のいずれか一方に、係脱可能に連結されて、該固定台を介して遊技場の床面に固定される椅子主体と
を備えてなるものであることを特徴とする遊技機用椅子。
【発明の詳細な説明】
【技術分野】
【０００１】
本発明は、遊技場の遊技島に設置される複数の遊技機と夫々対向させて配設される遊技機用椅子と該遊技機用椅子の固定台とに関する。
【背景技術】
【０００２】
一般的な遊技場では、複数の遊技島が列設されており、各遊技島の両側に、複数のパチンコ機やスロットマシン等の遊技機が横並びに設置される。そして、遊技島に設置される各遊技機に夫々対向するように複数の遊技機用椅子が配設されている。遊技機用椅子は、遊技場の床面にボルト等により固定される固定台に、遊技者が座るシート体を、支柱を介して取り付けられている。また、こうした遊技機用椅子が配設される、隣合う遊技島間は、遊技者の通路でもあることから、該通路の幅をできるだけ広くすることが求められる。そのため、遊技機用椅子としては、遊技者が座っていない状態で、シート体が支柱に対して前方へ自動的に移動するようにしたものが、広く用いられている。こうした構成として、シート体が、支柱の上端部に係合された連結部材を介して、該支柱に対して前後方向に摺動可能に取り付けられ、さらに、該シート体を該連結部材（支柱）に対して前方へ付勢させたものが知られている（例えば、特許文献１参照）。
【先行技術文献】
【特許文献】
【０００３】
【特許文献１】特開平８−１９６３７５号公報
【発明の概要】
【発明が解決しようとする課題】
【０００４】
ところで、パチンコ機とスロットマシンとでは、機台の前後方向幅（機台の厚み）が異なることから、遊技島に夫々設置された場合に、通路側へ最も突出する位置（以下、突出位置という）が夫々に異なる。そのため、上記従来の遊技機用椅子は、対向するパチンコ機またはスロットマシンに応じて、遊技場の床面に配設する配設位置が定められている。すなわち、従来では、遊技機や遊技島と、遊技機用椅子のシート体との間に、遊技者の脚を配することができる十分な隙間を確保し、かつ該遊技者が遊技機を操作し易い適切な距離を確保するように、対向する遊技機に応じて該遊技機用椅子の配設位置が設定されていた。具体的には、スロットマシンは、パチンコ機に比して、前後方向の幅が広いことから、遊技島に設置した場合に、通路側に突出する。そのため、スロットマシンが設置された場合における遊技機用椅子の配設位置は、パチンコ機の場合に比して、後方に位置する。尚ここで、上述した従来構成の、シート体を前後方向に摺動可能とする構成は、通路幅を広く確保するために、遊技者の不在時に該シート体を自動的に移動させるように用いられる。そして、かかる従来構成は、その構造上、前後方向の移動距離に限界があることから、通路幅を広くするために使用される場合には、前記のようにパチンコ機とスロットマシンとに応じて、異なる配設位置が設定されていた。
【０００５】
ところで、遊技場では、定期的に、遊技機の入れ替えや配置替えなどが実施され、遊技者の嗜好や流行などによって、パチンコ機に取り替えてスロットマシンが設置されたり、スロットマシンに取り替えてパチンコ機が設置される場合もある。こうした場合には、上述したようにパチンコ機とスロットマシンとで遊技機用椅子の配設位置が異なることから、新たに設置される遊技機に応じて、該遊技機用椅子の配設位置を変更することが必要となっていた。しかし、遊技機用椅子の配設位置を変更する場合には、床面から固定台を脱着する作業が必要であり、該脱着作業では、固定台を固定する複数のボルトの螺合と螺合解除とを行わなければならず、手間と時間とが掛かっていた。そして、こうしたパチンコ機とスロットマシンとの交換は、通常、複数台で実施されることから、夫々の交換台毎に、遊技機用椅子の配設位置を変更する作業を行わなければならず、こうした作業に要する手間と時間とが増大していた。そのため、こうした手間や時間を可及的に抑制できるものが、希求されていた。
【０００６】
本発明は、通路側への突出位置が異なる遊技機を、遊技島に設置する場合にあっても、夫々の遊技機に合わせて、遊技者の座る位置を容易に変更し得る遊技機用椅子と、該遊技機用椅子の固定台とを提案するものである。
【課題を解決するための手段】
【０００７】
本発明の第一発明は、遊技島に設置される複数の遊技機と夫々対向させて配設されるものであって、遊技者が着座する着座部と該着座部の後端から起立する背もたれ部とを備えたシート体と、該着座部の底面に、取付手段を介して脱着可能に取り付けられる支柱と、遊技場の床面に配設され、該支柱の下端部が固定される固定台とを備えてなる遊技機用椅子において、取付手段は、前記支柱の上端部に係合され、前記着座部の底面に配設された可動部材が前後方向に摺動可能に連結される連結部材と、該可動部材を介して、前記シート体を該連結部材に対して前方に付勢する付勢手段と、前記連結部材の下面に、前後方向に所定間隔をおいて開口形成され、前記支柱の上端部が嵌入される二個の嵌入孔と、各嵌入孔を下方に臨むように前記連結部材に夫々配設され、前記支柱の上端部に設けられた係合部と係脱可能に係合される被係止部とを備えたものであることを特徴とする遊技機用椅子である。
【０００８】
かかる構成にあっては、連結部材の前側の嵌入孔に支柱の上端部を嵌入すると、後側の嵌入孔に嵌入した場合に比して、シート体が遊技島から離間し、該シート体と遊技島との隙間が広くなる。そのため、通路側への突出位置が互いに異なる二種類の遊技機を、遊技島に設置する場合に、該突出位置が他方に比して遊技島側にある一方の遊技機に対向される際には、支柱の上端部を後側の嵌入孔に嵌入させ、また、他方の遊技機に対向される際には、該支柱の上端部を前側の嵌入孔に嵌入させる。このように支柱の上端部を嵌入させる前後の嵌入孔を選択することにより、突出位置が異なる遊技機を設置した場合にあっても、該突出位置とシート体との間に略同様の隙間（スペース）を確保できる。したがって、本発明の構成によれば、遊技島に設置する遊技機を、突出位置の異なる別の遊技機に取り替えた場合であっても、上述した従来構成のように固定台を脱着する作業を必要とせず、支柱を嵌入する嵌入孔を変更するだけでよいことから、その作業に要する手間と時間とを従来に比して著しく低減できる。
【０００９】
尚、連結部材に形成される前後の嵌入孔の間隔としては、互いに異なる突出位置の前後方向の差に基づいて設定されることが好適である。
【００１０】
上述した第一発明の遊技機用椅子にあって、遊技島に設置される遊技機が、スロットマシンまたはパチンコ機であり、取付手段は、連結部材に設けられた後側の嵌入孔が、パチンコ機と対向させた場合に支柱の上端部を嵌入させるパチンコ機用の嵌入孔である一方、前側の嵌入孔が、スロットマシンと対向させた場合に該支柱の上端部を嵌入させるスロットマシン用の嵌入孔である構成が提案される。
【００１１】
ここで、前側の嵌入孔と後側の嵌入孔との間隔としては、スロットマシンを設置した場合に通路側に最も突出する突出位置と、同様にパチンコ機を設置した場合における突出位置との前後方向の差に基づいて設定されることが好適である。
【００１２】
かかる構成によれば、スロットマシンとパチンコ機とを取り替えて遊技島に設置した場合にあっても、夫々に応じて前後の嵌入孔を選択して支柱の上端部を嵌入させることで、夫々の突出位置とシート体との間に略同等の隙間を確保できる。そのため、遊技場で遊技機の入れ替えや配置替え等を実施する際に、スロットマシンとパチンコ機と取り替えたとしても、定位置の支柱に対してシート体のみを前後に位置変換させることで対応できる。したがって、本構成によれば、固定台の脱着作業を要する上述の従来構成に比して、シート体の位置変更に要する作業負担を著しく低減できる。
【００１３】
また、遊技機用椅子にあって、シート体に座った遊技者が背もたれ部にもたれかかった場合、嵌入孔に嵌入された支柱の上端部に、背もたれ部と嵌入孔との距離に応じたモーメントによる応力集中が生ずる。一般的に、パチンコ機を遊技中の遊技者は、背もたれ部に体重を掛ける場合が多いことから、パチンコ機に対向させた遊技機用椅子で、支柱の上端部が屈曲するという問題を生ずる虞があった。一方、スロットマシンの場合について、発明者らが鋭意研鑽したところ、スロットマシンの遊技中では、遊技者がスタートレバーやストップボタンを連続的に操作するため、パチンコ機のように背もたれ部にもたれかかることが少ない傾向にあることがわかった。こうしたことから、本構成では、パチンコ機用の嵌入孔を後側に配することで、当該嵌入孔と背もたれ部との距離を比較的短くして、支柱の上端部にかかるモーメントを抑制すると共に、支柱の上端部をスロットマシン用の嵌入孔に嵌入しても、スロットマシンの遊技中に該支柱の屈曲という問題が発生することを抑制できる。
【００１４】
上述した第一発明の遊技機用椅子にあって、取付手段は、可動部材を、前側の待機位置と後側の引下位置との間で、連結部材に対して摺動可能に設けられてなり、該連結部材の後側の嵌入孔が、該可動部材を前記引下位置とした状態で、着座部の前後方向中心位置よりも後方に位置するように設けられている構成が提案される。ここで、連結部材の後側の嵌入孔は、可動部材が待機位置と引下位置との間の何処にあっても、着座部の前後方向中心位置よりも後方に位置している。
【００１５】
かかる構成にあっては、支柱の上端部を嵌入する後側の嵌入孔が、着座部の中心位置よりも後方に位置することから、当該嵌入孔と背もたれ部との距離を可及的に短くできる。そのため、上述したように、パチンコ機を遊技中に遊技者が背もたれ部にもたれかかった場合に、支柱の上端部にかかるモーメントを抑制でき、該支柱の屈曲という問題の発生を可及的に抑制することができる。
【００１６】
一方、本発明の第二発明は、遊技者が着座するシート体と該シート体を支持する支柱とを備えてなる椅子主体を、遊技島に設けられた遊技機に対向させて、遊技場の床面に固定させる遊技機用椅子の固定台において、遊技場の床面に固定される台ベースと、該台ベース上に、前記遊技島の長手方向と略直交する前後方向または当該前後方向に対して所定角度で傾斜する斜め方向に所定間隔をおいて夫々突成され、前記支柱の下端部が係脱可能に連結される二個の連結突部とを備えたものであることを特徴とする遊技機用椅子の固定台である。
【００１７】
かかる構成にあっては、台ベースに設けられた二個の連結突部のいずれか一方を選択して、支柱の下端部を連結することで、椅子主体の配設位置を変えることができる。すなわち、二個の連結突部のうちで、後側の連結突部に支柱の下端部を連結すると、前側の連結突部に連結した場合に比して、椅子主体が遊技島から離間し、該椅子主体のシート体と遊技島との隙間が広くなる。そのため、上述した第一発明と同様に、前記突出位置が異なる遊技機に応じて、支柱の下端部を連結させる連結突部を選択することにより、該突出位置とシート体との間に略同様の隙間（スペース）を確保できる。したがって、本発明の構成によれば、突出位置の異なる別の遊技機に取り替えた場合にあっても、支柱を連結する連結突部を変更することのみで対応できるため、上述した従来構成に比して、椅子主体（シート体）の位置変更に要する作業負担を著しく低減できる。
【００１８】
尚、上述したスロットマシンやパチンコ機では、左右の幅も異なると共に、遊技者の操作するストップボタンやハンドルの配設位置も異なることから、これらに応じてシート体の左右方向の位置を変更することが一層好適である。そのため、前記した前後方向の間隔と左右方向の位置とを、両者に適用するように、前後の連結突部を斜め方向に沿って配設する構成としても良い。
【００１９】
また、一般的に、パチンコ機やスロットマシンを設置した遊技場では、新台の入れ替えや機台の配置変更などを比較的頻繁に実施する。この入れ替えや配置変更の際には、機台の取り外し作業と取り付け作業とを行うが、各機台に対向して設置された遊技機用椅子がこれら作業の邪魔となる。そのため、遊技機用椅子を床面から取り外してから、機台を入れ替える作業を行い、入れ替えた後に、再び遊技機用椅子を取り付けるようにしている。ところが、上述したように、従来は、遊技機用椅子を取り外しおよび取り付けするために、固定台を脱着しなければならず、この脱着作業で複数のボルトの螺合解除と螺合とが必要であり、これら作業に手間と時間とがかかっていた。
これに対して、本第二発明は、椅子主体の支柱と連結突部との連結を解除することのみで、該椅子主体を床面から取り外しできると共に、該支柱を連結突部に連結することのみで、該椅子主体を床面に固定できる。そのため、椅子主体の取り付けおよび取り外し作業とを比較的容易かつ短時間で実施できる。ここで、前記した新台の入れ替えや配置変更の際に邪魔になるのは、椅子主体（シート体と支柱）であることから、該椅子主体の取り外しおよび取り付け作業を行うことで、機台の入れ替える作業を容易に実施できる。このように、本構成によれば、新台の入れ替えや配置変更の際に、支柱と連結突部との連結解除およびその後の連結によって、多数の椅子主体を床から取り外す作業と取り付ける作業とを行うことができるため、これら作業に要する負担を大幅に軽減でき、かつ作業に要する時間を大幅に短縮できる。
【００２０】
上述した第二発明の遊技機用椅子の固定台にあって、台ベース上であって且つ前側の連結突部の後方に設けられた取付位置に、所定の装着手段を介して着脱可能に取り付けられた連結取付体を備え、前側の連結突部が、前記台ベースに立設されると共に、後側の連結突部が、前記連結取付体に立設されている構成が提案される。
【００２１】
かかる構成にあっては、後側の連結突部を設けた連結取付体を、台ベースに着脱可能に取り付けたものであるから、必要に応じて取り外し可能である。例えば、前後の連結突部と支柱との連結作業および連結解除作業は、一般的に、通路側（後側）から実施されるため、前側の連結突部での該作業を行い難い場合もありえ、この場合に、連結取付体を一時的に取り外すことで、該作業を行い易くできる。
【００２２】
上述した第二発明の遊技機用椅子の固定台にあって、台ベースに設けられた前後二箇所の取付位置に、所定の装着手段を介して着脱可能に夫々取り付けられた二個の連結取付体を備え、前側の連結突部が、前側の取付位置に取り付けられた連結取付体に立設されると共に、後側の連結突部が、後側の取付位置に取り付けられた連結取付体に立設されている構成が提案される。
【００２３】
かかる構成にあっては、前後の連結突部を、台ベースに着脱可能に取り付けたものであるから、必要に応じて夫々取り外すことが可能である。例えば、上述したように、後側の連結取付体を一時的に取り外して、前側の連結突部と支柱との連結作業および連結解除作業を行い易くすることが可能である。また、車椅子の遊技者の場合には、椅子主体を取り外すことに加えて前後の連結取付体をも取り外すことで、車椅子の出し入れを容易にできる。
【００２４】
上述した第二発明の遊技機用椅子の固定台にあって、遊技島に設けられる遊技機が、パチンコ機又はスロットマシンであり、椅子主体をパチンコ機と対向させる場合には、前側の連結突部に、支柱の下端部を連結させる一方、椅子主体をスロットマシンと対向させる場合には、後側の連結突部に、該支柱の下端部を連結させるものである構成が提案される。
【００２５】
ここで、前側の連結突部と後側の連結突部との間隔は、遊技島にパチンコ機を設けた場合に通路側へ最も突出する位置（突出位置）と、スロットマシンを設けた場合に通路側へ最も突出する位置（突出位置）との、前後方向の差に基づいて設定されることが好適である。
【００２６】
かかる構成によれば、スロットマシンとパチンコ機とを取り替えて遊技島に設置した場合に、夫々に応じて前後の連結突部を選択して支柱の下端部と連結させることで、夫々の突出位置とシート体との間に十分な隙間を確保できる。これにより、上記した入れ替えや配置変更などでスロットマシンとパチンコ機とが入れ替わっても、入れ替え後の機台に応じて前後いずれかの連結突部を選択して椅子主体の支柱と連結させることで、前記した十分な隙間を確保した状態で該椅子主体を固定できる。
【００２７】
さらにまた、本発明は、上述した第二発明の遊技機用椅子の固定台と、遊技者が着座するシート体と該シート体を支持する支柱とを備え、該支柱の下端部が、前記固定台に設けられた二個の連結突部のいずれか一方に、係脱可能に連結されて、該固定台を介して遊技場の床面に固定される椅子主体とを備えてなるものであることを特徴とする遊技機用椅子である。
【００２８】
かかる構成は、上述した第二発明の固定台を備えたものであることから、該第二発明と同様の作用効果を奏し得る。
【発明の効果】
【００２９】
上述した第一発明の遊技機用椅子によれば、突出位置が異なる遊技機に応じて、支柱の上端部を嵌入させる前後の嵌入孔を選択することにより、いずれの遊技機に対向された場合でも、突出位置とシート体との間に略同様の隙間を確保できる。そして、遊技島に設置する遊技機を、突出位置の異なる別の遊技機に取り替えた場合であっても、上述した従来構成のように固定台の脱着作業を要せず、前記のように支柱を嵌入する嵌入孔を変更するだけで対応できる。したがって、本第一発明の構成によれば、従来構成に比して、シート体の位置変更に要する作業負担を著しく低減できる。
【００３０】
上述した第二発明の遊技機用椅子の固定台および該固定台を備えた遊技機用椅子によれば、上述した第一発明と同様に、支柱の下端部を連結させる連結突部を選択することにより、突出位置が異なる遊技機であっても、該突出位置とシート体との間に略同様の隙間を確保できる。したがって、従来構成に比して、シート体の位置変更に要する作業負担を著しく低減できる。
【００３１】
さらに、第二発明の固定台および該固定台を備えた遊技機用椅子によれば、椅子主体の支柱を連結させる連結突部を変更する作業を、該支柱と連結突部との連結解除および連結のみで行い得ることから、新台の入れ替えや配置変更の場合に、多数の椅子主体の取外作業と取付作業とに要する負担と時間とを著しく低減できるため、該入れ替えや配置変更を短時間で実施でき得る。
【図面の簡単な説明】
【００３２】
【図１】遊技場における遊技島８１を示す説明図である。
【図２】（Ａ）パチンコ機９１を設置した状態と、（Ｂ）スロットマシン９２を設置した状態とを示す説明図である。
【図３】実施例１の遊技機用椅子１の分解側面図である。
【図４】連結部材３１と可動部材３２との連結状態を示す斜視図である。
【図５】連結部材３１と可動部材３２との分解斜視図である。
【図６】連結部材３１の、（Ａ）正面図と、（Ｂ）底面図である。
【図７】連結部材３１に対して可動部材３２を、（Ａ）待機位置とした状態と、（Ｂ）引下位置とした状態とを示す説明図である。
【図８】支柱３の被嵌入部１２を、（Ａ）連結部材３１の前側の嵌入孔３７ａに嵌入させた状態と、（Ｂ）後側の嵌入孔３７ｂに嵌入させた状態を示す縦断面図である。
【図９】（Ａ）パチンコ機９１に対向された遊技機用椅子１のシート体２の引下位置と、（Ｂ）スロットマシン９２に対向された遊技機用椅子１のシート体２の引下位置とを示す説明図である。
【図１０】実施例２の遊技機用椅子５１の固定台５４の斜視図である。
【図１１】支柱３を、（Ａ）固定台５４の前側の連結突部５７ａに嵌入させた状態と、（Ｂ）後側の連結突部５７ｂに嵌入させた状態とを示す縦断面図である。
【図１２】支柱３の被嵌入部１２を連結部材６１の嵌入孔６７に嵌入させた状態を示す縦断面図である。
【図１３】（Ａ）パチンコ機９１に対向された遊技機用椅子５１のシート体２の引下位置と、（Ｂ）スロットマシン９２に対向された遊技機用椅子５１のシート体２の引下位置とを示す説明図である。
【図１４】実施例３の遊技機用椅子１０１の固定台１１１を示す平面図である。
【図１５】固定台１１１の部分縦断面図である。
【図１６】固定台１１１の斜視図である。
【図１７】固定台１１１の分解斜視図である。
【図１８】（Ａ）パチンコ機９１に対向された遊技機用椅子１０１のシート体２の引下位置と、（Ｂ）スロットマシン９２に対向された遊技機用椅子１０１のシート体２の引下位置とを示す説明図である。
【図１９】実施例４の遊技機用椅子１４１の固定台１５１を示す平面図である。
【図２０】固定台１５１の部分縦断面図である。
【図２１】固定台１５１の斜視図である。
【図２２】固定台１５１の分解斜視図である。
【図２３】（Ａ）パチンコ機９１に対向された遊技機用椅子１４１のシート体２の引下位置と、（Ｂ）スロットマシン９２に対向された遊技機用椅子１４１のシート体２の引下位置とを示す説明図である。
【発明を実施するための形態】
【００３３】
本発明にかかる実施例を添付図面に従って説明する。
図１は、遊技場に列設された複数の遊技島８１を示し、各遊技島８１の両側には、パチンコ機９１またはスロットマシン９２を設置可能な機台設置枠（図示せず）が、該遊技島８１の長手方向に複数並設されている。さらに、隣合う遊技島８１の間の床面８５上には、該遊技島８１の各機台設置枠に夫々対向するように、遊技機用椅子１が配設されている。そして、隣合う遊技島８１の間で、背中合わせに配設された遊技機用椅子１の間のスペースが、遊技者の通路８６となっている。
【００３４】
尚、本実施例にあって、遊技島８１の長手方向と直行する方向（図１における横方向）を前後方向とし、各遊技機用椅子１が夫々の機台設置枠に正対した状態における、該機台設置枠（遊技島８１）側を前方、通路８６側を後方として説明する。
【００３５】
上記の遊技島８１には、通路８６側に突出する平板状の載置板部８２が、各機台設置枠の底部に夫々連結されて設けられている。この載置板部８２は、遊技島８１の機台設置枠に設置されたパチンコ機９１またはスロットマシン９２の底部を支持するものであり、各機台設置枠毎に設けられている。
【００３６】
こうした遊技島８１に設けられた複数の機台設置枠に、上述したように、パチンコ機９１またはスロットマシン９２が設置される。ここで、図２に示すように、パチンコ機９１は、その前後方向（表裏方向）の厚みが、スロットマシン９２よりも薄く、前記機台設置枠に設置された状態で、遊技島８１の載置板部８２よりも通路８６側に突出しない。すなわち、パチンコ機９１の設置状態では、図２（Ａ）に示すように、通路８６側に最も突出する部位は、載置板部８２の突出端部８２ａとなる。この載置板部８２の突出端部８２ａが、パチンコ機９１を設置した状態で、最も通路８６に突出した位置にあり、この前後方向の位置を、以下で、パチンコ機９１の設置状態における突出位置Ｐ１として説明する。一方、スロットマシン９２が設置された状態では、図２（Ｂ）に示すように、該スロットマシン９２が載置板部８２よりも通路８６側に突出する。そのため、スロットマシン９２の、通路８６側に最も突出する部位９２ａは、載置板部８２の突出端部８２ａよりも通路８６側に突出する。この突出部位９２ａの前後方向の位置を、以下で、スロットマシン９２の設置状態における突出位置Ｐ２として説明する。
【００３７】
さらに、スロットマシン９２は、遊技者により操作されるストップボタン等（図示せず）の配設位置が、パチンコ機９１の操作ハンドルに比して高い位置にあることから、該パチンコ機９１に比して低い位置に設置される。そのため、パチンコ機９１を設置する場合とスロットマシン９２を設置する場合とでは、機台設置枠および載置板部８２との上下高さ位置を、該パチンコ機９１とスロットマシン９２とに応じて変更している。
【００３８】
尚、上述の遊技場における遊技島８１の構成は、従来から公知のものであることから、その詳細については省略する。
【００３９】
次に、本発明にかかる遊技機用椅子１，５１，１０１，１４１を、以下の実施例１〜４で説明する。
【実施例１】
【００４０】
本実施例１の遊技機用椅子１は、図３に示すように、遊技者が座るシート体２と、該シート体２を支持する支柱３と、該支柱３の下端部を固定する固定台４とを備えてなる。ここで、シート体２は、遊技者が着座する着座部６と、該着座部６の後端から起立する背もたれ部７とを備え、該背もたれ部７が着座部６に傾動可能に連結されている。また、支柱３は、円筒状の主体部１１と、該主体部１１の上端から上方に突出する略円筒状の被嵌入部１２とから構成されており、該被嵌入部１２が主体部１１に対して周方向に回転可能に設けられている。この被嵌入部１２は、支柱３の上端部に設けられていると共に、該被嵌入部１２の上端には、径方向に沿って係合溝１３が形成されている。尚、この被嵌入部１２は、その外周面が内側に上り勾配で僅かに傾斜するように形成されている。本実施例にあって、被嵌入部１２が、本発明にかかる支柱３の上端部に相当し、係合溝１３が、本発明にかかる支柱３の係合部に相当する。
【００４１】
また、固定台４は、遊技場の床面８５に載置される円板状の台ベース１６と、該台ベース１６の略中央から上方へ起立された円筒状の連結突部１７とを備えてなり、台ベース１６には、連結突部１７の周囲に、周方向に所定間隔をおいて複数の貫通孔（図示せず）が開口形成されている。この固定台４は、各貫通孔に上方からボルト（図示せず）を挿通させて、床面８５に穿設されたネジ孔（図示せず）に螺合させることによって、床面８５に固結される。さらに、固定台４の連結突部１７には、上記支柱３の下端部１１ａが上方から嵌入されて、図示しない取付ボルト等により該下端部１１ａが固定される。尚、こうしたシート体２の着座部６および背もたれ部７、支柱３の主体部１１および被嵌入部１２、固定台４の台ベース１６および連結突部１７の、各構造については、従来から公知のものを適用できることから、その詳細については省略する。
【００４２】
さらに、固定台４の台ベース１６上には、截頭円錐形のカバー体２３が配設されている。このカバー体２３は、円形状の上面部に支柱３の主体部１１を挿通させる貫通孔（図示せず）が開口されており、該支柱３を固定台４に固定させた状態で、固定台４の連結突部１７を被覆して、台ベース１６上に載置される。
【００４３】
上記したシート体２と支柱３とは、着座部６の底面に配設された可動部材３２と、該支柱３の被嵌入部１２が係合される連結部材３１とを介して、連結されている。可動部材３２は、図４，５に示すように、着座部６の底面に固結されるベース部４２と、該ベース部４２に横方向に所定間隔をおいて並設された一対の案内レール４３，４３とを備え、さらに、該ベース部４２の前端寄りに配設された制限壁４４ａと、該ベース部４２の後端に配設された制限壁４４ｂとを備えている。一対の案内レール４３，４３は、夫々が断面略コ字形をなし、互いに内向きで対向するようにして、前後方向に沿って夫々配設されている。そして、一対の案内レール４３，４３の間に、前側の制限壁４４ａが設けられると共に、該案内レール４３，４３の後端が、後側の制限壁４４ｂに当接されている。また、連結部材３１は、図４〜６に示すように、略矩形状の底壁部３４ａと、該底壁部３４ａの両側端から夫々起立する側壁部３４ｂ，３４ｂと、各側壁部３４ｂ，３４ｂの上端から外方へ夫々延成された係合縁部３４ｃ，３４ｃとを備え、各係合縁部３４ｃ，３４ｃに断面略コ字形の樹脂製の摺動材３５，３５が嵌合されている。そして、両側の係合縁部３４ｃ，３４ｃが、摺動材３５，３５を介して、前記可動部材３２の案内レール４３，４３に摺動可能に嵌入される。これにより、連結部材３１と可動部材３２とが相対的に前後方向に摺動可能に連結されていることから、該可動部材３２は、後述のように支柱３に係合される連結部材３１に対して、前後方向に摺動可能となっている。ここで、可動部材３２は、図７（Ａ）に示すように、連結部材３１に対して前方へ摺動した際に、後端の制限壁４４ｂが連結部材３１の後端部に当接して、これ以上前方へ摺動できないと共に、図７（Ｂ）に示すように、後方へ摺動した際に、前端の制限壁４４ａが連結部材３１の前端部に当接して、これ以上後方へ摺動できない。この可動部材３２が連結部材３１に対して最も前方へ摺動した位置が、本発明にかかる待機位置（図７（Ａ））であり、最も後方へ摺動した位置が、本発明にかかる引下位置（図７（Ｂ））である。
【００４４】
さらに、可動部材３２は、図５に示す付勢バネ３６によって、連結部材３１に対して前方へ付勢されている。この付勢バネ３６は、その一端が、可動部材３２の前端の制限壁４４ａに連結され、且つ他端が、連結部材３１に連結されており、その付勢力により、図７（Ａ）に示すように、常態で可動部材３２を前記待機位置で保持する。尚、この付勢バネ３６により、本発明にかかる付勢手段が構成されている。
【００４５】
上記した連結部材３１は、図４〜７に示すように、その底壁部３４ａに、前後方向に所定間隔をおいて二個の嵌入孔３７ａ，３７ｂが開口形成されており、各嵌入孔３７ａ，３７ｂが該底壁部３４ａを貫通している。嵌入孔３７ａ，３７ｂは、その内周面が内側に向かって上り勾配で僅かに傾斜してなり、上記した支柱３の被嵌入部１２の下端寄り部位を嵌入可能とする孔径に形成されている。そして、嵌入孔３７ａ，３７ｂの、両中心位置の間隔ｗ（以下、嵌入孔３７ａ，３７ｂの間隔という）は、上記したパチンコ機９１の設置状態における突出位置Ｐ１とスロットマシン９２の設置状態における突出位置Ｐ２との差に基づいて設定されている。具体的には、前記突出位置Ｐ２が突出位置Ｐ１よりも通路８６側に約７０ｍｍ突出している場合（突出位置Ｐ１と突出位置Ｐ２との差が約７０ｍｍの場合）に、嵌入孔３７ａ，３７ｂの間隔ｗを約６０ｍｍに設定した。ここで、前側の嵌入孔３７ａが、スロットマシン９２の設置状態で支柱３の被嵌入部１２を嵌入させる該スロットマシン用であり、後側の嵌入孔３７ｂが、パチンコ機９１の設置状態で支柱３の被嵌入部１２を嵌入させる該パチンコ機用である。
【００４６】
さらに、後側（パチンコ機用）の嵌入孔３７ｂは、図７に示すように、上述した可動部材３２を連結部材３１に対して摺動しても、着座部６の前後方向中心位置Ｑよりも後方に位置するように設けられている。すなわち、シート体２が待機位置と引下位置とのいずれにある状態であっても、連結部材３１の前記嵌入孔３７ｂは、着座部６の前後方向中心位置Ｑよりも後方に位置する。一方、こうした後側の嵌入孔３７ｂよりも前方に配設された前側の嵌入孔３７ａは、シート体２を引下位置とした状態で、着座部６の前後方向中心位置Ｑよりも僅かに前方に位置するように設けられている。
【００４７】
尚、本実施例にあって、連結部材３１には、各嵌入孔３７ａ，３７ｂの孔縁に、下方に突出された円環状の孔縁部３８，３８が夫々設けられている。
【００４８】
さらに、連結部材３１には、図６に示すように、各嵌入孔３７ａ，３７ｂの直上に、左右の側壁部３４ｂ，３４ｂに差し渡される支持杆３９，３９が設けられている。各支持杆３９，３９は、その横方向の中央部分により、各嵌入孔３７ａ，３７ｂを下方に臨む被係止部３９ａ，３９ｂが構成されている。被係止部３９ａ，３９ｂには、上記した支柱３の被嵌入部１２に設けられた係合溝１３が嵌め合わされて係合される。すなわち、図８に示すように、支柱３は、被嵌入部１２が、連結部材３１の下方から、前後の嵌入孔３７ａ，３７ｂのいずれかに選択に嵌入されて、該被嵌入部１２の係合溝１３が被係止部３９ａ，３９ｂに係合される。そして、本実施例にあっては、支柱３の被嵌入部１２が嵌入孔３７ａ，３７ｂに嵌入された状態で、該被嵌入部１２の係合溝１３が前記被係止部３９ａ，３９ｂに係合される。
【００４９】
このように連結部材３１の嵌入孔３７ａ，３７ｂのいずれかを選択して、固定台４に固定された支柱３の被嵌入部１２を嵌入して係合することにより、上述した遊技機用椅子１が構成される（図８参照）。この遊技機用椅子１は、支柱３に係合された連結部材３１に対して、可動部材３２が前後方向に摺動可能であることから、この摺動に伴って、シート体２を支柱３（固定台４の配設位置）に対して前後方向に移動できる。このシート体２は、上記した最も前方の待機位置と最も後方の引下位置との間で移動可能である。そして、シート体２は、常態で、上記した付勢バネ３６の付勢力によって、前記待機位置（図２参照）で保持されると共に、該付勢バネ３６の付勢力に抗して後方へ引き下げることにより、後方へ移動させて、前記引下位置（図９参照）まで移動可能である。尚、遊技機用椅子１は、シート体２を固定台４に対して自由に回転させることができる。
【００５０】
こうした実施例１の遊技機用椅子１の使用態様について、以下に説明する。
遊技機用椅子１は、図１，２に示すように、遊技島８１の各機台設置枠に夫々対向させて配設される。ここで、遊技機用椅子１の固定台４は、遊技場の床面８５の、遊技島８１から所定距離の位置に、複数のボルト（図示せず）により固定される。そして、固定台４の連結突部１７に、支柱３の下端部１１ａが嵌入されて固定される。尚、固定台４の配設位置は、対向するパチンコ機９１又はスロットマシン９２と、引下位置のシート体２との間に、ほぼ同様に十分な隙間（スペース）が生じ得るように、位置決めされる。詳述すると、図９（Ａ）に示すように、支柱３を後側（パチンコ機用）の嵌入孔３７ｂに嵌入させたシート体２の引下位置における該シート体２と、パチンコ機９１の設置における突出位置Ｐ１との間に生ずる前記隙間が、遊技者の脚を入れるに十分な間隔を有すると共に、図９（Ｂ）に示すように、該支柱３の前側（スロットマシン用）の嵌入孔３７ａに嵌入させたシート体２の引下位置における該シート体２と、スロットマシン９２の設置における突出位置Ｐ２との間に生ずる前記隙間が、パチンコ機９１の場合と同様に十分な間隔を有するように、前記固定台４の配設位置が設定され得る。
【００５１】
本実施例１の遊技機用椅子１にあって、支柱３の被嵌入部１２が嵌入される連結部材３１の嵌入孔３７ａ，３７ｂは、対向するパチンコ機９１又はスロットマシン９２に応じて選択される。遊技島８１の、対向する機台設置枠に、パチンコ機９１が設置された場合には、図８（Ｂ）に示すように、前記支柱３の被嵌入部１２を、連結部材３１の後側の嵌入孔３７ｂに嵌入させて、該被嵌入部１２の係合溝１３を、該連結部材３１の被係止部３９ｂに係合させる。こうして、パチンコ機９１に対向される遊技機用椅子１が配設される。この遊技機用椅子１は、図２（Ａ）に示すように、常態でシート体２が保持される待機位置で、該シート体２が遊技島に最も近く、該シート体２と、パチンコ機９１の設置における突出位置Ｐ１（載置板部８２の突出端部８２ａ）との間の隙間も少ない。そして、シート体２が待機位置で保持された状態で、遊技島間の通路８６の間隔が十分に確保される。一方、この遊技機用椅子１に遊技者が座る場合には、シート体２を後方に引き下げることにより、図９（Ａ）に示すように、該シート体２と前記突出位置Ｐ１との間に、該遊技者の脚を入れる隙間が生ずる。さらに、シート体２を引下位置とすれば、前記突出位置Ｐ１との間に前記隙間を十分に確保できる。
【００５２】
遊技島８１の、対向する機台設置枠に、スロットマシン９２が設置された場合には、図８（Ａ）に示すように、上記支柱３の被嵌入部１２を、連結部材３１の前側の嵌入孔３７ａに嵌入させて、該被嵌入部１２の係合溝１３を、該連結部材３１の被係止部３９ａに係合させる。こうして、スロットマシン９２に対向される遊技機用椅子１が配設される。この遊技機用椅子１は、図２（Ｂ）に示すように、常態でシート体２が保持される待機位置で、該シート体２と、スロットマシン９２の設置における突出位置Ｐ２（該スロットマシン９２の突出部位９２ａ）との間の隙間が少なく、通路８６の間隔が十分に確保される。尚、通路８６の間隔は、パチンコ機９１の場合に比して狭い。一方、遊技者が座る場合には、図９（Ｂ）に示すように、シート体２を後方に引き下げて、該シート体２と前記突出位置Ｐ２との間に、上記したパチンコ機９１と略同様の隙間を生じさせ得る。これは、連結部材３１の嵌入孔３７ａ，３７ｂの前後間隔が、パチンコ機９１の設置における突出位置Ｐ１とスロットマシン９２の設置における突出位置Ｐ２との差に基づいて設定されていることに因る。
【００５３】
また、遊技機用椅子１では、シート体２に座った遊技者が背もたれ部７にもたれかかった場合に、連結部材３１の嵌入孔３７ａ，３７ｂに嵌入された支柱３の被嵌入部１２に応力集中が生ずる。一般的に、パチンコ機９１を遊技中には、遊技者がシート体２の背もたれ部７にもたれかかることが多く、これに伴う応力集中が、シート体２を支える支柱３の上端部に生ずることから、従来は、この応力集中によって、支柱の上端部が屈曲するという問題が発生していた。こうした応力集中は、背もたれ部７と支柱の上端部との距離に応じたモーメントにより生ずるものである。こうした問題に対して、本実施例１の遊技機用椅子１は、パチンコ機９１に対向される場合に、支柱３の被嵌入部１２を嵌入させる連結部材３１の嵌入孔３７ｂが、着座部６の前後方向中心位置Ｑよりも後方に位置し（図７参照）、嵌入孔３７ｂとシート体２の背もたれ部７との距離が比較的短いことから、前記したモーメントを低減できる。これにより、前記のようにパチンコ機９１の遊技中に遊技者が背もたれ部７にもたれかかることで、支柱３の被嵌入部１２に生ずる応力集中を抑制できる。そのため、本実施例１の構成では、支柱の上端部が屈曲するという従来の問題の発生を、抑制することができる。
【００５４】
尚、スロットマシン９２に対向された遊技機用の椅子では、従来から、上記したパチンコ機９１のような問題の発生が極めて少なかった。これについて調べたところ、スロットマシン９２の遊技中は、遊技者がスタートレバーやストップボタンを操作するために、パチンコ機９１の遊技中に比して前のめりに座る場合が多く、前記問題が生じ難いことがわかった。この知見に基づいて、本実施例１は、スロットマシン９２の設置状態で支柱３の被嵌入部１２を嵌入させる嵌入孔３７ａが、パチンコ機９１用の嵌入孔３７ｂよりも前方に配設されている。したがって、本実施例１の遊技機用椅子１では、スロットマシン９２用の嵌入孔３７ａに支柱３の被嵌入部１２を嵌入しても、スロットマシン９２の遊技中では、上記したモーメントによる応力集中が比較的小さいことから、該被嵌入部１２が屈曲するという問題が、発生し難い。
【００５５】
上述した本実施例１の遊技機用椅子１は、対向されるパチンコ機９１またはスロットマシン９２に応じて、連結部材３１の前後の嵌入孔３７ａ，３７ｂのいずれかを選択して、支柱３の被嵌入部１２を係合させることにより、パチンコ機９１の設置における上記の突出位置Ｐ１またはスロットマシン９２の設置における上記の突出位置Ｐ２とシート体２との間に十分な隙間を生じさせ得る。そのため、遊技場で機台の入れ替えや配置替えなどにより、パチンコ機９１とスロットマシン９２とを取り替えた場合にあっても、支柱３の被嵌入部１２を前後の嵌入孔３７ａ，３７ｂで入れ替えるだけで、各パチンコ機９１とスロットマシン９２とに夫々適した位置にシート体２を配置できる。したがって、本実施例１の構成によれば、上述した従来構成のようにパチンコ機９１とスロットマシン９２とを取り替えた場合に固定台を床面から取り外して移動させるという作業を必要とせず、前記のように支柱３の被嵌入部１２を嵌入させる嵌入孔３７ａ，３７ｂを変更するだけでよいことから、その作業に要する手間と時間とを従来に比して著しく低減できる。また、本実施例１の遊技機用椅子１によれば、パチンコ機９１またはスロットマシン９２とのいずれに対向された場合にあっても、支柱３の被嵌入部１２が屈曲するという従来構成で発生した問題を、可及的に抑制することができる。
【実施例２】
【００５６】
実施例２の遊技機用椅子５１は、図１０，１１に示すように、固定台５４が二個の連結突部５７ａ，５７ｂを備え、いずれかの連結突部５７ａ，５７ｂを選択して支柱３の下端部１１ａを嵌入させて連結させるようにしたものである。さらに、本実施例２の遊技機用椅子５１は、図１２に示すように、シート体２と支柱３とを連結する連結部材６１が、一個の嵌入孔６７と被係止部６９とを備えた構成である。尚、こうした固定台５４と連結部材６１の構成以外は、上述した実施例１と同じであることから、同じ構成要素には同じ符号を記し、その説明を省略する。また、本実施例２にあって、固定台５４が、本発明にかかる遊技機用椅子の固定台である。
【００５７】
固定台５４は、図１０，１１に示すように、前後方向に長い長円形状の板材により形成された台ベース５６と、前後方向に所定間隔をおいて該台ベース５６上に起立された二個の連結突部５７ａ，５７ｂとを備えてなり、該台ベース５６には、その外周縁に沿うように複数の貫通孔５８が開口形成されている。本実施例２の固定台５４は、上述した実施例１と同様に、各貫通孔５８に上方からボルト（図示せず）を挿通させて、床面８５に穿設されたネジ孔（図示せず）に螺合させることにより、該床面８５に固結される。そして、前記連結突部５７ａ，５７ｂは、台ベース５６の上面に夫々溶接されて上方へ突成されており、該台ベース５６と一体的に設けられている。この連結突部５７ａ，５７ｂは、上述した実施例１の連結突部と同様に、円筒状をなし、支柱３の下端部１１ａが上方から嵌入されて、図示しない取付ボルトにより該下端部１１ａが固定される。ここで、支柱３の下端部１１ａは、その外周面が内側に向かって下り勾配で僅かに傾斜するように形成されていると共に、連結突部５７ａ，５７ｂは、その内周面が内側に向かって下り勾配で僅かに傾斜しており、該下端部１１ａを嵌入可能とする孔径に形成されている。また、二個の連結突部５７ａ，５７ｂは、夫々の円筒中心位置の間隔ｓ（以下、連結突部５７ａ，５７ｂの間隔という）が、上記したパチンコ機９１の設置状態における突出位置Ｐ１（載置板部８２の突出端部８２ａ）とスロットマシン９２の設置状態における突出位置Ｐ２（該スロットマシン９２の突出部位９２ａ）との差に基づいて、設定されている。具体的には、連結突部５７ａ，５７ｂの間隔ｓを、前記突出位置Ｐ１と突出位置Ｐ２との差と同じ寸法（約７０ｍｍ）に設定した。尚、前側の連結突部５７ａが、パチンコ機９１の設置状態で支柱３の下端部１１ａを嵌入させる該パチンコ機用であり、後側の連結突部５７ｂが、スロットマシン９２の設置状態で支柱３の下端部１１ａを嵌入させる該スロットマシン用である。尚、本実施例２にあって、前記した取付ボルトが、支柱３の下端部１１ａと連結突部５７ａ，５７ｂとを連結するための支持固定手段に相当する。
【００５８】
さらに、固定台５４の台ベース５６上には、上述した実施例１と同様にカバー体７１が配設されている。このカバー体７１は、長円形状の上面部７２と、該上面部７２の周縁から下方に末広がり状に傾斜する傾斜周部７３とを備え、該傾斜周部７３の下端縁が台ベース５６の上面に載置される。ここで、上面部７２は、上記した二個の連結突部５７ａ，５７ｂの直上方に位置し、且つ一方の連結突部５７ａ，５７ｂを臨む部位に、支柱３の主体部１１を挿通させる挿通孔７４が開口形成されている。このカバー体７１は、支柱３の主体部１１を前記挿通孔７４に挿通させ且つ該支柱３の下端部１１ａを連結突部５７ａ，５７ｂのいずれかに嵌入させることにより、二個の連結突部５７ａ，５７ｂを被覆して、台ベース５６上に載置される。尚、このカバー体７１は、図１１（Ａ）に示すように、支柱３の下端部１１ａを前側の連結突部５７ａに嵌入させる場合、挿通孔７４を前寄りとした向きで台ベース５６上に載置させる。一方、図１１（Ｂ）に示すように、支柱３の下端部１１ａを後側の連結突部５７ｂに嵌入させる場合には、挿通孔７４を後寄りとした向きで、カバー体７１を台ベース５６上に載置させる。このようにカバー体７１は、支柱３の下端部１１ａを嵌入させる連結突部５７ａ，５７ｂに応じて前後に回転させて使用することにより、いずれの場合でも同様に連結突部５７ａ，５７ｂを被覆できるようになっている。
【００５９】
また、図１２に示すように、連結部材６１は、上述した実施例１と同様に、シート体２に配設された可動部材３２と、相対的に前後方向に摺動可能に連結されるものであり、該実施例１の連結部材と同様の底壁部３４ａと側壁部と係合縁部とを備え、各係合縁部に嵌合された摺動材を介して該可動部材３２の案内レール４３，４３に連結されている。そして、可動部材３２は、上述の実施例１と同様に、連結部材６１に対して、上記した待機位置と引下位置とに摺動可能であると共に、付勢バネによって待機位置に付勢されている。本実施例２の連結部材６１は、その底壁部３４ａに、一個の嵌入孔６７が開口形成されており、その孔縁に下方へ突出する孔縁部６８が形成されている。尚、嵌入孔６７は、連結部材６１の前後方向の略中心部位に形成されており、可動部材３２を前記引下位置とした状態で、着座部６の前後方向の略中心に位置する。さらに、連結部材６１には、両側壁部に支持杆（図示せず）が差し渡されている。この支持杆は、その中央部位が下方に嵌入孔６７を臨むように配設されており、該中央部位により、上記した被係止部６９が構成される。こうした連結部材６１の嵌入孔６７に支柱３の被嵌入部１２が嵌入されて、該被嵌入部１２の係合溝１３が前記被係止部６９に係合されることにより、支柱３に連結部材６１が取り付けられる。尚、こうした連結部材６１と可動部材３２とを介して連結されたシート体２と支柱３とにより、本発明にかかる椅子主体１０が構成されている。
【００６０】
本実施例２の遊技機用椅子５１は、その固定台５４が、床面８５に複数のボルト（図示せず）により固結される。ここで、固定台５４は、遊技島８１から所定距離の位置に、二個の連結突部５７ａ，５７ｂが前後方向に沿って配置されるようにして、床面８５に配設される。この固定台５４の配設位置は、図１３に示すように、遊技島８１の機台固定枠に設置されたパチンコ機９１又はスロットマシン９２と、引下位置としたシート体２との間に、十分な隙間が生じ得るように、位置決めされている。尚、床面８５には、前記配設位置とした固定台５４の各貫通孔５８に夫々に対応する位置に、前記ボルトと夫々螺合されるネジ孔が夫々穿設されており、該各ボルトとネジ孔との螺合によって固定台５４が固結される。
【００６１】
このように床面８５に配設された固定台５４には、前後いずれかの連結突部５７ａ，５７ｂに、支柱３の下端部１１ａが嵌入されて、図示しない取付ボルトによって固定される。そして、固定台５４に固定された支柱３の被嵌入部１２が、シート体２に連結された連結部材６１の嵌入孔６７に嵌入されて、該被嵌入部１２の上端に設けられた係合溝１３を、該連結部材６１の被係止部６９に係合させる（図１２参照）。こうしてシート体２が支柱３に取り付けられる。ここで、対向する機台設置枠にパチンコ機９１が設置された場合には、図１１（Ａ）に示すように、前側の連結突部５７ａに、支柱３の下端部１１ａを嵌入させて連結する。一方、スロットマシン９２が設置された場合には、図１１（Ｂ）に示すように、後側の連結突部５７ｂに、支柱３の下端部１１ａを嵌入させて連結する。
【００６２】
本実施例２の遊技機用椅子５１では、上述したように、パチンコ機９１に対向させる場合に、支柱３の下端部１１ａが固定台５４の前側の連結突部５７ａに連結されてなる。この遊技機用椅子５１は、そのシート体２を待機位置から後方へ引き下げることで、図１３（Ａ）に示すように、パチンコ機９１の設置における突出位置Ｐ１（載置板部８２の突出端部８２ａ）と該シート体２との間に、遊技者の脚を入れる隙間を生じさせることができる。そして、シート体２を引下位置とすれば、前記隙間を十分に確保できる。一方、スロットマシン９２に対向させる場合に、支柱３の下端部１１ａを固定台５４の後側の連結突部５７ｂに連結させた遊技機用椅子５１は、シート体２を待機位置から後方へ引き下げることによって、図１３（Ｂ）に示すように、該スロットマシン９２の突出位置Ｐ２（該スロットマシン９２の突出部位９２ａ）とシート体２との間に、パチンコ機９１の場合と略同様の隙間を生じさえ得る。
【００６３】
このように本実施例２の遊技機用椅子５１は、対向するパチンコ機９１またはスロットマシン９２とに応じて、固定台５４の連結突部５７ａ，５７ｂのいずれか一方を選択して、支柱３の下端部１１ａを連結させることにより、パチンコ機９１の設置における上記の突出位置Ｐ１またはスロットマシン９２の設置における上記の突出位置Ｐ２とシート体２との間に十分な隙間を生じさせ得る。そのため、遊技場で機台の入れ替えや配置替えなどにより、パチンコ機９１とスロットマシン９２とを取り替えた場合にあっても、支柱３の下端部１１ａを前後いずれかの連結突部５７ａ，５７ｂに連結させるだけで、各パチンコ機９１とスロットマシン９２とに夫々適した位置にシート体２を配置できる。このように本実施例２の構成によれば、上述した従来構成のようにパチンコ機９１とスロットマシン９２とを取り替える場合に固定台を床面から取り外して移動させるという作業を必要とせず、前記のように支柱３の下端部１１ａを嵌入させる連結突部５７ａ，５７ｂを変更するだけでよいことから、その作業に要する手間と時間とを従来に比して著しく低減できる。
【００６４】
また、上述した椅子主体１０の支柱３を固定台５４に固定する作業は、主に、遊技場で新台の入れ替えや配置変更を行う場合に実施される。すなわち、新台の入れ替えや配置変更を行う場合には、床面８５に配設された遊技機用椅子５１が、遊技島８１の各機台設置枠にパチンコ機９１やスロットマシン９２を取り付けおよび取り外す作業の際に邪魔になる。そのため、各遊技機用椅子５１の椅子主体１０を固定台５４から取り外すことで、パチンコ機９１やスロットマシン９２の入れ替え作業を容易に実施できる。そして、遊技島８１の各機台設置枠に新たなパチンコ機９１やスロットマシン９２を取り付けた後に、取り付けたパチンコ機９１またはスロットマシン９２に応じて、前後いずれかの連結突部５７ａ，５７ｂを選択して、支柱３を連結させる。これにより、椅子主体１０を、上述したように、シート体２と突出位置Ｐ１または突出位置Ｐ２との間に十分な隙間を生じさせ得るようにして配設できる。こうした入れ替えや配置変更を行う場合に、本実施例２の構成は、椅子主体１０を取り外す作業と取り付ける作業とを比較的容易かつ短時間で行うことができる。これは、支柱３を固定台５４の連結突部５７ａ，５７ｂから連結解除するのみで、椅子主体１０を取り外しできること、および、支柱３を連結突部５７ａ，５７ｂに連結するのみで、椅子主体１０を取り付けできることに因る。したがって、本実施例２の構成によれば、一般的に遊技場の閉店後や休日などに実施されて、限られた作業時間で行う必要がある新台の入れ替えや配置変更の作業を、所望の作業時間内で確実かつ安定して実施でき得る。
【００６５】
尚、上述した実施例２の構成にあっては、固定台５４に前後方向に所定間隔をおいて二個の連結突部５７ａ，５７ｂを配設した構成であるが、別の構成として、該前後方向に対して所定角度傾斜した斜め方向に沿って、二個の連結突部を配設した構成としても良い。かかる別例の構成では、二個の連結突部が、その前後方向の間隔を、上述した実施例２と同様にパチンコ機９１の設置における突出端部８２ａとスロットマシン９２の突出部位９２ａとの差に基づいて設定し、且つ横方向の間隔を、パチンコ機９１の操作ハンドルとスロットマシン９２のストップボタンとの位置関係に基づいて設定する。かかる構成にあっても、上述した実施例２と同様の作用効果を奏し得ると共に、パチンコ機９１とスロットマシン９２のいずれであっても夫々に適した操作性を保つことができる。
【実施例３】
【００６６】
実施例３の構成は、固定台１１１が、図１４〜１７に示すように、前後方向に長い長円形状の台ベース１１２と、該台ベース１１２上に配設された前後の連結突部１１６，１２６とを備えてなるものである。そして、前側の連結突部１１６は、台ベース１１２に溶接により一体的に設けられており、後側の連結突部１２６は、台ベース１１２の上面に着脱可能に取り付けられた連結取付体１２１に溶接により一体的に設けられている。尚、図１４，１６，１７では、連結突部１１６，１２６の各雄ネジ部１１７，１２７を省略している。
【００６７】
本実施例３の遊技機用椅子１０１は、図１８に示すように、シート体２と支柱１０３とを具備する椅子主体１１０と、該該支柱１０３の下端部１０３ａを連結する上記の固定台１１１とを備えてなるものである。ここで、椅子主体１１０は、シート体２と支柱１０３とが、上述した実施例２と同様の連結部材６１と可動部材３２とを介して連結されてなる（図１２参照）。そして、支柱１０３は、その上端部に、上述した実施例１，２と同様の被嵌入部１２を備え（図示せず）、その下端部１０３ａには、その内周面に、後述する連結突部１１６，１２６に設けられた雄ネジ部１１７，１２７に螺合される雌ネジ部（図示せず）が形成されている。すなわち、本実施例３の支柱１０３は、その下端部１０３ａの雌ネジ部を、固定台１１１の連結突部１１６，１２６の雄ネジ部１１７，１２７と螺合させることによって、該連結突部１１６，１２６と連結される。そして、この雌ネジ部と雄ネジ部１１７，１２７とを螺合解除することにより、支柱１０３の下端部１０３ａと連結突部１１６，１２６とを連結解除して、該支柱１０３を該連結突部１１６から取り外すことができる。
【００６８】
尚、本実施例３の遊技機用椅子１０１は、こうした支柱１０３の下端部１０３ａを固定台１１１に螺合させる構造とし、かつ該固定台１１１を上述した実施例２と異なる構造とした以外は該実施例２と同じであることから、同じ構成要素についての説明を適宜省略している。
【００６９】
上記した固定台１１１の台ベース１１２は、図１４〜１７に示すように、床面８５上に載置される外周部１１３と、該外周部１１３の内側に設けられた台部１１４とを備える。台部１１４は、外周部１１３よりも上方へ隆起しており、該外周部１１３が床面８５上に載置された状態で、該床面８５との間に間隙を形成する。外周部１１３には、複数の貫通孔１１５が形成されており、各貫通孔１１５に上方からボルト（図示せず）を挿通させて、床面８５に穿設されたネジ孔（図示せず）に該ボルトを螺合させる。これにより、台ベース１１２が床面８５上に固結される。
【００７０】
台部１１４の上面は、平坦な面であり、その前寄り部位に、上記した連結突部１１６が立設されている。この連結突部１１６は、略円筒状をなし、その上部の外周面に雄ネジ部１１７（図１５参照）が形成されている。雄ネジ部１１７が、上述したように、支柱１０３の下端部１０３ａに螺合されることによって、連結突部１１６に該支柱１０３が連結される（図１８（Ａ）参照）。
【００７１】
さらに、台部１１４には、上記した連結突部１１６の後方に、連結取付体１２１が複数の取付ボルト１３０により取り付けられている。連結取付体１２１は、円盤状の取付ベース部１２２と、該取付ベース部１２２に立設された連結突部１２６とから構成されている。取付ベース部１２２は、台部１１４の上面に載置される円環状の周縁部１２３と、該周縁部１２３の内側に設けられた隆起部１２４とからなり、該隆起部１２４の略中央部位に前記した連結突部１２６が立設されている。周縁部１２３には、取付ボルト１３０を挿通する複数の透孔１２５が開口形成されている（図１７参照）。また、連結突部１２６は、上述した前側の連結突部１１６と同じ外径寸法の略円筒状をなし、その上部の外周面に雄ネジ部１２７が形成されている（図１５参照）。そして、この雄ネジ部１２７に、上記した支柱１０３の下端部１０３ａに設けられた雌ネジ部（図示せず）が螺合されることにより、前側の連結突部１１６と同様に、該支柱１０３の下端部１０３ａと連結突部１２６とを連結できる（図１８（Ｂ）参照）。この連結突部１２６は、連結取付体１２１が台ベース１１２の台部１１４上に取り付けられた状態で、前側の連結突部１１６と同じ高さとなるように、その高さ寸法が設定されている。
【００７２】
台ベース１１２の台部１１４には、連結取付体１２１を取り付ける取付位置ｔが設けられている。この取付位置ｔに連結取付体１２１を取り付けた状態で、該連結取付体１２１の連結突部１２６と、台部１１４に立設された連結突部１１６との間隔ｓが定まる。この間隔ｓは、連結突部１１６と連結突部１２６との中心間隔であり、上述した実施例２と同様に、上記したパチンコ機９１の突出位置Ｐ１とスロットマシン９２の突出位置Ｐ２との差に基づいて定めており、この間隔ｓとなるように、取付位置ｔが設定されている。本実施例３にあっても、前記間隔ｓは、実施例２と同様に、前記突出位置Ｐ１と突出位置Ｐ２との差と同じ約７０ｍｍに設定した。
【００７３】
また、上記の台部１１４には、連結取付体１２１の各透孔１２５に対応する位置に、上記した取付ボルト１３０を挿通する複数の取付孔１２０が形成されている（図１７参照）。そして、台部１１４の裏面には、各取付孔１２０の直下に、該取付孔１２０を挿通させた取付ボルト１３０と螺合されるナット１３１が夫々溶接されている（図１５参照）。連結取付体１２１は、台部１１４上の取付位置ｔに載置されて、上方から各透孔１２５と各取付孔１２０とに挿通させた取付ボルト１３０を、前記各ナット１３１に螺合させることによって、台ベース１１２の台部１１４に取り付けられる。尚、この取付ボルト１３０とナット１３１とにより、本発明にかかる装着手段が構成されている。
【００７４】
こうした実施例３の固定台１１１の使用態様について、以下に説明する。
固定台１１１は、図１８に示すように、遊技島８１の各機台設置枠の、直ぐ通路側に夫々配設される。ここで、床面８５には、上述したように複数のネジ孔が穿設されており、各ネジ孔の直上に、台ベース１１２の各貫通孔１１５を合わせるように、固定台１１１が載置される。そして、各貫通孔１１５に、図示しないボルトを上方から挿通させて、床面８５の各ネジ孔に螺合させることにより、固定台１１１が該床面８５に固結される。こうして固定台１１１を床面８５に固定した状態では、前側の連結突部１１６を遊技島８１側とし且つ後側の連結突部１２６を通路８６側として、両連結突部１１６，１２６が前後方向に並ぶ。
【００７５】
床面８５に固結された各固定台１１１には、遊技島８１の各機台設置枠に設置されるパチンコ機９１またはスロットマシン９２に応じて、前後いずれかの連結突部１１６，１２６に、椅子主体１１０の支柱１０３を連結することで、該椅子主体１１０が固定台１１１を介して床面８５に取り付けられる。これにより、遊技機用椅子１０１が床面８５に固定される。
【００７６】
ここで、遊技機用椅子１０１をパチンコ機９１に対向させる場合には、支柱１０３の下端部１０３ａを、固定台１１１の前側の連結突部１１６に連結させる。この状態の遊技機用椅子１０１は、そのシート体２を待機位置から後方へ引き下げることで、図１８（Ａ）に示すように、該シート体２と、パチンコ機９１を設置した場合の突出位置Ｐ１との間に、遊技者の脚を入れる隙間を生じさせ得る。さらに、シート体２を引下位置とすれば、前記隙間を十分に確保できる。一方、遊技機用椅子１０１をスロットマシン９２に対向させる場合には、支柱１０３の下端部１０３ａを、固定台１１１の後側の連結突部１２６に連結させる。これにより、図１８（Ｂ）に示すように、前記パチンコ機９１の場合と同様に、遊技機用椅子１０１のシート体１０２と、スロットマシン９２を設置した場合の突出位置Ｐ２との間に、十分な隙間を生じさせ得る。このように遊技機用椅子１０１をパチンコ機９１とスロットマシン９２とのいずれに対向させる場合であっても、上述した実施例２と同様に、シート体２と突出位置Ｐ１，Ｐ２との間に、十分な隙間を生じさせ得る。本実施例３の固定台１１１にあっては、前側の連結突部１１６が、パチンコ機９１用であると共に、後側の連結突部１２６が、スロットマシン９２用である。
【００７７】
さらに、本実施例３の構成は、支柱１０３の下端部１０３ａの雌ネジ部を、固定台１１１の連結突部１１６，１２６の雄ネジ部１１７，１２７と螺合解除することによって、椅子主体１１０を固定台１１１から取り外しできると共に、該支柱１０３の雌ネジ部を、連結突部１１６，１２６の雄ネジ部１１７，１２７と螺合することによって、該椅子主体１１０を固定台１１１に取り付けできる。そのため、椅子主体１１０と固定台１１１とを取り外す作業と取り付ける作業とを比較的容易かつ短時間で行うことができる。
【００７８】
本実施例３の固定台１１１にあっては、上述したように、前後二個の連結突部１１６，１２６を備えたものであるから、対向させるパチンコ機９１またはスロットマシン９２に応じて、いずれかの連結突部１１６，１２６を選択して、支柱１０３を連結させることにより、シート体２を、該パチンコ機９１またはスロットマシン９２との間に十分な隙間を生じさせて、床面８５に配設することができる。そして、椅子主体１１０を固定台１１１に取り付け及び取り外す作業は、比較的容易かつ短時間で行い得る。このように本実施例３の固定台１１１によれば、上述した実施例２と同様に、遊技機用椅子１０１の前後位置を変更するために要する作業負担を、従来に比して、著しく軽減できる。そして、新台の入れ替えや配置変更の作業を、所望の作業時間内で確実かつ安定して実施でき得る。
【００７９】
また、本実施例３の固定台１１１は、連結取付体１２１が取付ボルト１３０により台ベース１１２に取り付けられたものであり、該取付ボルト１３０を螺合解除することで、該連結取付体１２１を取り外すことが可能である。例えば、遊技島８１側の連結突部１１６の雄ネジ部１１７と支柱１０３の下端部１０３ａの雌ネジ部との間にゴミなどが入り込んで噛んでしまった場合には、支柱１０３を取り外し難くなることから、該取り外し作業の際に、連結取付体１２１を取り外すことで、該作業を行い易くできる。ここで、支柱１０３を取り外す作業は、通路側から作業者が実施するため、該作業者の手前側にある連結突部１２６が作業の邪魔になる場合もあり、この場合に通路側の連結取付体１２１を取り外すことで、実施し易くなる。
【実施例４】
【００８０】
実施例４の固定台１５１は、図１９〜２２に示すように、実施例３と同様の台ベース１５２と、該台ベース１５２上に取り付けられた前後の連結取付体１６１ａ，１６１ｂとを備え、各連結取付体１６１ａ，１６１ｂに連結突部１６６ａ，１６６ｂが夫々立設されている。前後の連結取付体１６１ａ，１６１ｂは、台ベース１５２に着脱可能に取り付けられており、各連結突部１６６ａ，１６６ｂが溶接により一体的に設けられている。尚、図１９，２１，２２では、連結突部１６６ａ，１６６ｂの各雄ネジ部１６７を省略している。
【００８１】
本実施例４の遊技機用椅子１４１（図２３参照）は、上述した実施例３と同様に、椅子主体１１０と固定台１５１とを備えてなるものであり、固定台１５１が異なる以外は該実施例３と同じであることから、同じ構成要素のついての説明を適宜省略している。
【００８２】
固定台１５１の台ベース１５２は、実施例３と同様の外周部１１３および台部１５４とから構成され、該外周部１１３に複数の貫通孔１１５が形成されている。実施例４にあっては、台部１５４上に、二個の連結取付体１６１ａ，１６１ｂが前後に並んで取り付けられている。各連結取付体１６１ａ，１６１ｂは、複数の取付ボルト１３０により台部１５４上に固結されており、台部１５４には、各取付ボルト１３０を挿通させる取付孔１２０が複数形成されている（図２２参照）。そして、実施例３と同様に、台部１５４の裏面には、各取付孔１２０の直下に、ナット１３１が夫々溶接されている（図２０参照）。尚、取付ボルト１３０とナット１３１とにより、本発明にかかる装着手段が構成されている。
【００８３】
連結取付体１６１ａ，１６１ｂは、略円環状の周縁部１６３と隆起部１６４とからなる取付ベース部１６２を備え、周縁部１６３に、取付ボルト１３０を挿通する複数の透孔１２５が形成されている（図２２参照）。本実施例４の連結取付体１６１ａ，１６１ｂは、周縁部１６３が、外周縁の一部分が切り欠かれた形状をなし、各周縁部１６３の切欠部分が互いに対向するようにして、上記した台ベース１５２の台部１５４上に取り付けられる。ここで、台部１５４には、図２３に示すように、前側の連結取付体１６１ａを取り付ける取付位置ｔ１と、後側の連結取付体１６１ｂを取り付ける取付位置ｔ２とが設けられており、前後の連結取付体１６１ａ，１６１ｂの各透孔１２５に対応する位置に、上記した複数の取付孔１２０が形成されている。これら前後の連結取付体１６１ａ，１６１ｂは、図１９〜２１に示すように、前記取付位置ｔ１，ｔ２で、取付ボルト１３０を透孔１２５および取付孔１２０に挿通させて、ナット１３１に螺合させることによって、台部１５４に固結される。尚、本実施例４にあっては、前後の連結取付体１６１ａ，１６１ｂで、取付孔１２０と透孔１２５との配設位置と配設個数とが異なる。これにより、前後の連結取付体１６１ａ，１６１ｂとを明確に区別でき、仮に取り外した場合でも、前後を容易かつ確実に判別できる。
【００８４】
さらに、各連結取付体１６１ａ，１６１ｂは、取付ベース部１６２の隆起部１６４の略中央部位に連結突部１６６ａ，１６６ｂが夫々立設されている。各連結突部１６６ａ，１６６ｂは、実施例３の連結突部１２６と同じ形状をなし、各上部の外周面に雄ネジ部１６７が夫々形成されている。各連結突部１６６ａ，１６６ｂの雄ネジ部１６７を、椅子主体１１０の支柱１０３の下端部１０３ａに設けられた雌ネジ部（図示せず）と螺合させることにより、該支柱１０３と連結突部１６６ａ，１６６ｂとを連結できる（図２３参照）。
【００８５】
上記の連結取付体１６１ａ，１６１ｂを取付ベース部１６２の取付位置ｔ１，ｔ２に取り付けた状態で、前後の連結突部１６６ａ，１６６ｂ間の間隔ｓが、上記した実施例２，３と同様に定まるように、取付位置ｔ１，ｔ２が設定されている。尚、この間隔ｓは、連結突部１６６ａ，１６６ｂの中心間隔である。
【００８６】
こうした実施例４の固定台１５１にあっても、上述した実施例２，３と同様に、遊技島８１の各機台設置枠の、直ぐ通路側に夫々配設される。固定台１５１は、床面８５に固定された状態で、図２３に示すように、前側の連結取付体１６１ａを遊技島８１側とし且つ後側の連結取付体１６１ｂを通路８６側として、該連結突部１６６ａ，１６６ｂが前後方向に並ぶ。そして、前側の連結突部１６６ａが、パチンコ機９１用であると共に、後側の連結突部１６６ｂが、スロットマシン９２用である。すなわち、遊技機用椅子１４１をパチンコ機９１に対向させる場合には、図２３（Ａ）に示すように、支柱１０３の下端部１０３ａを前側の連結突部１６６ａに連結させる一方、スロットマシン９２に対向させる場合には、図２３（Ｂ）に示すように、支柱１０３の下端部１０３ａを後側の連結突部１６６ｂに連結させる。このように実施例２，３と同様、対向させるパチンコ機９１またはスロットマシン９２に応じて、前後いずれかの連結突部１６６ａ，１６６ｂを選択して、支柱１０３を連結させる。これにより、シート体２と、パチンコ機９１の場合の突出位置Ｐ１またはスロットマシン９２の場合の突出位置Ｐ２との間に、十分な隙間を生じさせ得る。
【００８７】
さらに、新台の入れ替えや配置変更の際にも、上述した実施例３と同様に、上述した従来構成に比して、遊技椅子を取り外す作業と取り付ける作業とを容易に実施でき、該作業に要する時間も短縮できる。そのため、新台の入れ替えや配置変更の作業を、所望の作業時間内で確実かつ安定して実施でき得る。
【００８８】
尚、実施例４の固定台１５１は、上述した実施例３と同様に、遊技島８１側の連結突部１６６ａと支柱１０３の下端部１０３ａとを螺合解除し難い場合に、通路８６側の連結取付体１６１ｂを取り外すことで、該螺合解除する作業を行い易くできる。また、前後の連結突部１６６ａ，１６６ｂを着脱可能としていることから、例えば、車椅子の遊技者が遊技する場合には、椅子主体１１０と前後の連結取付体１６１ａ，１６１ｂとを取り外すことで、該車椅子を、パチンコ機９１またはスロットマシン９２に対向する位置に容易に出し入れできる。
【００８９】
本発明にあっては、上述した実施例１〜４に限定されるものではなく、これら実施例以外の構成についても本発明の趣旨の範囲内で適宜変更して実施可能である。
【００９０】
例えば、実施例１，２では、支柱の下端部と固定台との連結構造を、該下端部を連結突部に嵌入にして取付ボルトで固定するようにしたものであるが、実施例３，４と同様に、支柱の下端部を連結突部に螺合させるようにした構成とすることもできる。一方、実施例３，４は、支柱の下端部を固定台の連結突部に嵌入させて取付ボルトで固定する構成としても良い。
【００９１】
また、実施例２〜４の椅子主体は、支柱に対してシート体を前後方向に移動可能とした構成であるが、移動不能な構成であっても良い。移動不能な構成の場合には、支柱を固定台に固定した状態で、シート体と突出位置Ｐ１，Ｐ２との間に十分な隙間が生ずるように、固定台の配設位置および連結突部間の間隔などを設定する。
【００９２】
また、実施例３，４では、カバー体を備えていない構成としたが、実施例２と同様にカバー体を備えた構成としても良い。一方、実施例１，２が、カバー体を備えていない構成としても良い。
【符号の説明】
【００９３】
１，５１，１０１，１４１  遊技機用椅子
２  シート体
３，１０３  支柱
４，５４，１１１，１５１  固定台（遊技機用椅子の固定台）
６  着座部
７  背もたれ部
１１ａ  下端部（支柱の下端部）
１２  被嵌入部
１３  係合溝（係合部）
３１，６１  連結部材
３２  可動部材
３５  付勢バネ（付勢手段）
３７ａ，３７ｂ  嵌入孔
３９ａ，３９ｂ  被係止部
５６，１１２，１５２  台ベース
５７ａ，５７ｂ，１１６，１２６，１６６ａ，１６６ｂ  連結突部
８１  遊技島
８５  床面
９１  パチンコ機
９２  スロットマシン
１０３ａ  下端部（支柱の下端部）
１２１，１６１ａ，１６１ｂ  連結取付体
ｔ、ｔ１，ｔ２  取付位置
【図１】
2017221649.tif 000003
【図２】
2017221649.tif 000004
【図３】
2017221649.tif 000005
【図４】
2017221649.tif 000006
【図５】
2017221649.tif 000007
【図６】
2017221649.tif 000008
【図７】
2017221649.tif 000009
【図８】
2017221649.tif 000010
【図９】
2017221649.tif 000011
【図１０】
2017221649.tif 000012
【図１１】
2017221649.tif 000013
【図１２】
2017221649.tif 000014
【図１３】
2017221649.tif 000015
【図１４】
2017221649.tif 000016
【図１５】
2017221649.tif 000017
【図１６】
2017221649.tif 000018
【図１７】
2017221649.tif 000019
【図１８】
2017221649.tif 000020
【図１９】
2017221649.tif 000021
【図２０】
2017221649.tif 000022
【図２１】
2017221649.tif 000023
【図２２】
2017221649.tif 000024
【図２３】
2017221649.tif 000025